(57)【要約】【課題】従来のＦＭラジオ受信機は特定の放送局の放送を聴きながら、他の放送局の内容が音楽か音声かを判定することは出来なかった。【解決手段】ＦＭ変調電波を受信するアンテナ１０と、受信されたＦＭ変調信号からＩＦ信号を出力するＦＥ部２０と、そのＩＦ信号から直交検波信号ＩＱ信号を出力する直交検波部３０と、そのＩＱ信号をＦＭ復調するＦＭ復調部４０と、そのＦＭ復調信号をステレオ復調し出力するステレオ復調部５０と、ステレオ信号を再生するスピーカ部６０と、アンテナ１０で受信されたＦＭ変調された信号を入力し、中間周波数帯に変換し、第２のＩＦ信号を出力する第２のＦＥ部と、第２のＩＦ信号を直交検波し、第２のＩＱ信号を出力する第２の直交検波部と、第２のＩＱ信号を利用して、他の放送局の内容が音楽信号か音声信号かを判定する音楽音声判定装置７０とを備える。【選択図】図１
2010147685.tif 000002
【特許請求の範囲】
【請求項１】
ＦＭ変調された信号を入力する入力部と、
前記入力部から入力された前記ＦＭ変調された信号の内容が音楽信号か音声信号かを判定する判定処理部とを備えた、音楽音声判定装置。
【請求項２】
前記入力部へ入力されるＦＭ変調された信号は、直交検波されたＩＱ信号である、ことを特徴とする請求項１に記載の音楽音声判定装置。
【請求項３】
前記入力部へ入力されるＦＭ変調された信号は、中間周波数帯に変換されたＩＦ信号である、ことを特徴とする請求項１に記載の音楽音声判定装置。
【請求項４】
さらに、１つ以上の周波数フィルタを備え、
前記判定処理部は、少なくとも、前記入力部から入力された入力信号を前記周波数フィルタに通した後のフィルタ信号を利用して、前記信号の内容判定を行う、ことを特徴とする請求項１〜３のいずれかに記載の音楽音声判定装置。
【請求項５】
前記判定処理部は、前記入力部から入力された入力信号および前記フィルタ信号を利用して、前記信号の内容判定を行う、ことを特徴とする請求項４に記載の音楽音声判定装置。
【請求項６】
前記周波数フィルタは、処理する周波数の異なる複数のフィルタであり、
それら異なる周波数フィルタで処理された複数のフィルタ信号を利用して、前記信号の内容判定を行う、ことを特徴とする請求項４に記載の音楽音声判定装置。
【請求項７】
前記周波数フィルタは、帯域フィルタ又はローパスフィルタである、ことを特徴とする請求項４に記載の音楽音声判定装置。
【請求項８】
前記判定処理部が行う判定処理は、音楽信号か音声信号かの最終判定処理又は、その判定を行うための事前の処理である、ことを特徴とする請求項１に記載の音楽音声判定装置。
【請求項９】
放送局から送信された、ＦＭ変調された電波を受信するアンテナと、
前記受信された、ＦＭ変調された信号を中間周波数帯に変換し、第１のＩＦ信号を出力する第１のＦＥ部と、
前記第１のＩＦ信号を直交検波し、第１のＩＱ信号を出力する第１の直交検波部と、
前記第１のＩＱ信号をＦＭ復調し、ＦＭ復調信号を出力するＦＭ復調部と、
前記ＦＭ復調信号をステレオ復調し、ステレオ信号を出力するステレオ復調部と、
前記ステレオ信号を再生し、放送内容を提供するスピーカ部と、
前記アンテナで受信された、ＦＭ変調された信号を処理する、請求項１に記載の音楽音声判定装置と、
を備えた、ＦＭラジオ受信機。
【請求項１０】
前記アンテナで受信された、ＦＭ変調された信号を入力し、中間周波数帯に変換し、第２のＩＦ信号を出力する第２のＦＥ部を備え、
前記音楽音声判定装置は、前記第２のＩＦ信号を入力して処理する、ことを特徴とする請求項９に記載のＦＭラジオ受信機。
【請求項１１】
前記アンテナで受信された、ＦＭ変調された信号を入力し、中間周波数帯に変換し、第２のＩＦ信号を出力する第２のＦＥ部と、
前記第２のＩＦ信号を直交検波し、第２のＩＱ信号を出力する第２の直交検波部とを備え、
前記音楽音声判定装置は、前記第２のＩＱ信号を入力して処理する、ことを特徴とする請求項９に記載のＦＭラジオ受信機。
【請求項１２】
前記第１のＦＥ部が受信する周波数と、前記第２のＦＥ部が受信する周波数は異なっており、
前記スピーカから出力される信号の周波数とは異なる周波数の出力信号の内容について、前記音楽音声判定装置は前記判定を行う、ことを特徴とする請求項１０又は１１に記載のＦＭラジオ受信機。
【請求項１３】
前記音楽音声判定装置は、隣接妨害対策用などの他の機能のために付加されている周波数フィルタの出力を用いて、前記内容を判定することを特徴とする請求項９に記載のＦＭラジオ受信機。
【請求項１４】
前記音楽音声判定装置の駆動を指示する判定動作指示手段と、
前記音楽音声判定装置によって判定された結果を表示する表示部とを備え、
前記判定動作指示手段からの指示に従って、前記音楽音声判定装置の前記第２のＦＥ部が受信周波数を前記第１のＦＭ部が受信している周波数と異なる別の周波数を受信するように受信する周波数を切り換え、その受信周波数の放送内容の判定が終了した後、さらに別の受信周波数に切り換えるようにして、各放送局の放送内容を順に判定していく、ことを特徴とする請求項１０又は１１に記載のＦＭラジオ受信機。
【請求項１５】
ＦＭ変調された信号を入力する入力ステップと、
前記入力された前記ＦＭ変調された信号の内容が音楽信号か音声信号かを判定する判定処理ステップとを備えた、音楽音声判定方法。
【請求項１６】
請求項１５に記載の音楽音声判定方法の、ＦＭ変調された信号を入力する入力ステップと、
前記入力された前記ＦＭ変調された信号の内容が音楽信号か音声信号かを判定する判定処理ステップとを、コンピュータに実行させるプログラム。
【発明の詳細な説明】
【技術分野】
【０００１】
本発明は、放送内容を判定することによって、ユーザの色々な要望に応じることの出来る音楽音声判定装置およびＦＭラジオ受信機などに関するものである。
【背景技術】
【０００２】
従来の音楽音声判定装置は入力された２ｃｈのＬ，Ｒの信号をもとに、入力信号が音楽信号か音声信号であるかを判定している（例えば特許文献１参照）。
【０００３】
図１９は上記従来の音楽音声判定装置を用いたＦＭラジオ受信機を示すものである。
【０００４】
図１９において、アンテナ部１０は放送局から送信された電波を受信するアンテナである。ＦＥ部２０は前記アンテナ部１０で受信された電波を中間周波数帯に変換し、ＩＦ信号を出力する。直交検波部３０は前記ＦＥ部２０から出力されたＩＦ信号を直交検波し、ＩＱ信号を出力する。ＦＭ復調部４０は前記直交検波部３０から出力されたＩＱ信号をＦＭ復調し、ＦＭ復調信号を出力する。
【０００５】
ステレオ復調部５０は前記ＦＭ復調部４０から出力されたＦＭ復調信号をステレオ復調し、ステレオ信号を出力する。スピーカ部６０は前記ステレオ復調部５０から出力されたステレオ信号を再生し、ユーザに放送内容を提供する。
【０００６】
この構成において、音楽音声判定装置９０は前記ステレオ復調部５０から出力されたステレオ信号（Ｌ信号、Ｒ信号）を利用して放送内容が音楽であるか音声であるかを判定していた。すなわち、Ｌ信号とＲ信号の振幅の加算信号と、振幅の減算信号をもとに、入力されたＬ，Ｒ信号が音楽か音声かを判断している。
【特許文献１】特許第２９６１９５２号
【発明の開示】
【発明が解決しようとする課題】
【０００７】
しかしながら、このような従来の構成では、ユーザが現在受信している放送を聴きながら、同時に他の局の放送内容が音楽であるか音声であるかを判定するようなことは出来なかった。
【０００８】
そこで、本発明は、このような従来の構成の課題を考慮し、ユーザが現在受信している放送を聴きながら、同時に他の局の放送内容が音楽であるか音声であるかを判定することが出来る、ＦＭラジオ受信機及びそのようなＦＭラジオ受信機に適用可能な音楽音声判定装置などを提供することを目的とする。
【課題を解決するための手段】
【０００９】
第１の本発明は、
ＦＭ変調された信号を入力する入力部と、
前記入力部から入力された前記ＦＭ変調された信号の内容が音楽信号か音声信号かを判定する判定処理部とを備えた、音楽音声判定装置である。
【００１０】
第２の本発明は、
前記入力部へ入力されるＦＭ変調された信号は、直交検波されたＩＱ信号である、ことを特徴とする第１の本発明の音楽音声判定装置である。
【００１１】
第３の本発明は、
前記入力部へ入力されるＦＭ変調された信号は、中間周波数帯に変換されたＩＦ信号である、ことを特徴とする第１の本発明の音楽音声判定装置である。
【００１２】
第４の本発明は、
さらに、１つ以上の周波数フィルタを備え、
前記判定処理部は、少なくとも、前記入力部から入力された入力信号を前記周波数フィルタに通した後のフィルタ信号を利用して、前記信号の内容判定を行う、ことを特徴とする第１〜３の本発明のいずれかの音楽音声判定装置である。
【００１３】
第５の本発明は、
前記判定処理部は、前記入力部から入力された入力信号および前記フィルタ信号を利用して、前記信号の内容判定を行う、ことを特徴とする第４の本発明の音楽音声判定装置である。
【００１４】
第６の本発明は、
前記周波数フィルタは、処理する周波数の異なる複数のフィルタであり、
それら異なる周波数フィルタで処理された複数のフィルタ信号を利用して、前記信号の内容判定を行う、ことを特徴とする第４の本発明の音楽音声判定装置である。
【００１５】
第７の本発明は、
前記周波数フィルタは、帯域フィルタ又はローパスフィルタである、ことを特徴とする第４の本発明音楽音声判定装置である。
【００１６】
第８の本発明は、
前記判定処理部が行う判定処理は、音楽信号か音声信号かの最終判定処理又は、その判定を行うための事前の処理である、ことを特徴とする第１の本発明の音楽音声判定装置である。
【００１７】
第９の本発明は、
放送局から送信された、ＦＭ変調された電波を受信するアンテナと、
前記受信された、ＦＭ変調された信号を中間周波数帯に変換し、第１のＩＦ信号を出力する第１のＦＥ部と、
前記第１のＩＦ信号を直交検波し、第１のＩＱ信号を出力する第１の直交検波部と、
前記第１のＩＱ信号をＦＭ復調し、ＦＭ復調信号を出力するＦＭ復調部と、
前記ＦＭ復調信号をステレオ復調し、ステレオ信号を出力するステレオ復調部と、
前記ステレオ信号を再生し、放送内容を提供するスピーカ部と、
前記アンテナで受信された、ＦＭ変調された信号を処理する、第１の本発明の音楽音声判定装置と、
を備えた、ＦＭラジオ受信機である。
【００１８】
第１０の本発明は、
前記アンテナで受信された、ＦＭ変調された信号を入力し、中間周波数帯に変換し、第２のＩＦ信号を出力する第２のＦＥ部を備え、
前記音楽音声判定装置は、前記第２のＩＦ信号を入力して処理する、ことを特徴とする第９の本発明のＦＭラジオ受信機である。
【００１９】
第１１の本発明は、
前記アンテナで受信された、ＦＭ変調された信号を入力し、中間周波数帯に変換し、第２のＩＦ信号を出力する第２のＦＥ部と、
前記第２のＩＦ信号を直交検波し、第２のＩＱ信号を出力する第２の直交検波部とを備え、
前記音楽音声判定装置は、前記第２のＩＱ信号を入力して処理する、ことを特徴とする第９の本発明のＦＭラジオ受信機である。
【００２０】
第１２の本発明は、
前記第１のＦＥ部が受信する周波数と、前記第２のＦＥ部が受信する周波数は異なっており、
前記スピーカから出力される信号の周波数とは異なる周波数の出力信号の内容について、前記音楽音声判定装置は前記判定を行う、ことを特徴とする第１０又は１１の本発明のＦＭラジオ受信機である。
【００２１】
第１３の本発明は、
前記音楽音声判定装置は、隣接妨害対策用などの他の機能のために付加されている周波数フィルタの出力を用いて、前記内容を判定することを特徴とする第９の本発明のＦＭラジオ受信機である。
【００２２】
第１４の本発明は、
前記音楽音声判定装置の駆動を指示する判定動作指示手段と、
前記音楽音声判定装置によって判定された結果を表示する表示部とを備え、
前記判定動作指示手段からの指示に従って、前記音楽音声判定装置の前記第２のＦＥ部が受信周波数を前記第１のＦＭ部が受信している周波数と異なる別の周波数を受信するように受信する周波数を切り換え、その受信周波数の放送内容の判定が終了した後、さらに別の受信周波数に切り換えるようにして、各放送局の放送内容を順に判定していく、ことを特徴とする第１０又は１１の本発明のＦＭラジオ受信機である。
【００２３】
第１５の本発明は、
ＦＭ変調された信号を入力する入力ステップと、
前記入力された前記ＦＭ変調された信号の内容が音楽信号か音声信号かを判定する判定処理ステップとを備えた、音楽音声判定方法である。
【００２４】
第１６の本発明は、第１５の音楽音声判定方法の、ＦＭ変調された信号を入力する入力ステップと、
前記入力された前記ＦＭ変調された信号の内容が音楽信号か音声信号かを判定する判定処理ステップとを、コンピュータに実行させるプログラムである。
【発明の効果】
【００２５】
本発明のＦＭラジオ受信機によれば、ユーザが現在受信している放送を聴きながら、同時に他の局の放送内容が音楽であるか音声であるかを判定することが出来る。
【００２６】
さらに、本発明のＦＭラジオ受信機は、ラジオを聞くために設けられている本来のＦＭ復調部以外に別のＦＭ復調部を設け、その別のＦＭ復調部を利用するといった、製造コストが高くなる構成を採用していないので、製造コストが安いという長所を有する。
【００２７】
また、本発明の音楽音声判定装置および音楽音声判定方法は、ＦＭ復調部のＦＭ復調信号の出力を利用することなく放送内容を判定できるので、ＦＭ復調部を設けなくても放送内容を判定出来、製造コストが安いという長所を有する。
【発明を実施するための最良の形態】
【００２８】
以下、本発明を実施するための最良の形態について、図面を参照しながら説明する。なお、各図面において、本発明に関係のない構成要素は省略している。
【００２９】
（実施の形態１）
図１は、本発明の実施の形態１におけるＦＭラジオ受信機の機能ブロック図である。図１において、図１９と同じ構成要素（アンテナ部１０、第１のＦＥ部２０、第１の直交検波部３０、ＦＭ復調部４０、ステレオ復調部５０、スピーカ部６０）については同じ符号を用い、説明を省略する。
【００３０】
図１において、第２のＦＥ部２１はアンテナ部１０により受信された電波を中間周波数帯に変換し、第２のＩＦ信号を出力するデバイスである。
【００３１】
第２の直交検波部３１は、前記第２のＦＥ部２１から出力された第２のＩＦ信号を直交検波し、第２のＩＱ信号を出力するデバイスである。
【００３２】
音楽音声判定装置７０は、前記第２の直交検波部３１から出力された第２のＩＱ信号をもとに放送内容が音楽か音声かを判定する装置である。
【００３３】
この音楽音声判定装置７０の具体的な動作について、図２を参照しながら説明する。前記直交検波部３１から出力されたＩＱ信号はＩ信号（In-phase-signal）、Ｑ信号（Quadrature-phase-signal）によって構成され、入力部１００へ入力信号として入力される。本実施の形態１では入力信号をＩ信号とＱ信号を１組として処理の流れを説明する。
【００３４】
図２はその音楽音声判断装置７０の機能ブロック図である。
【００３５】
第０の信号レベル算出部１２０はＩ信号（Isig）、およびＱ信号（Qsig）を入力信号とし、数１のようにして、振幅レベルLev0を算出し、出力するデバイスである。
【００３６】
【数１】
2010147685.tif 000003
【００３７】
第１のＢＰＦ１１１は通過帯域が23kHz〜53kHzのバンドパスフィルタであり、Ｉ信号（Isig）、およびＱ信号（Qsig）を入力信号とし、Ｉ信号、Ｑ信号にバンドパスフィルタ処理を行い、それぞれＩbpf1信号（Ibpf1sig）、Ｑbpf1信号（Qbpf1sig）を出力する。このＩbpf1信号（Ibpf1sig）、Ｑbpf1信号（Qbpf1sig）は、本発明のフィルタ信号の一例である。ここで、第１のＢＰＦ１１１の通過帯域を23kHz〜53kHzに限定するものではなく、概ね音声信号は含まず、あるいは含んでも少なく、反対に、音楽信号が多く含むであろう帯域を選択すれば足る。
【００３８】
第１の信号レベル算出部１２１は前記第１のＢＰＦ１１１から出力されたＩbpf1信号（Ibpf1sig）、Ｑbpf1信号（Qbpf1sig）を入力とし、数２のようにして、振幅レベルLev1を算出し、出力するデバイスである。
【００３９】
【数２】
2010147685.tif 000004
【００４０】
判定処理部１３０は第０の信号レベル算出部１２０からの出力である振幅レベルLev0と、第１の信号レベル算出部１２１からの出力である振幅レベルLev1を入力として、判定処理を行い結果を出力するデバイスである。
【００４１】
判定処理部１３０の具体的な動作について、図３および図４を参照しながら、説明する。判定処理部１３０は前記振幅レベルLev0、Lev1を入力とし、図３に示す処理に従って、判定結果を出する。
【００４２】
図３における内容判定指標計算部１３１は、数３のようにして、内容判定指標MSdetを算出する。
【００４３】
【数３】
2010147685.tif 000005
【００４４】
次に、図３における判定結果計算部１３２は、フローチャート図４に従って、判定結果を計算する。
【００４５】
図４において、判断ステップ１１３１は、Lev0があらかじめ設定している閾値（Lev0thd）（例えば、10dBμV）より小さいかどうかを判定する。小さければ、「受信電波が小さすぎて放送内容を判定できない」として、音楽か音声であるかを判定しない。
【００４６】
Lev0が閾値（Lev0thd）より大きい場合は、次に判断ステップ１１３２で、内容判定指標MSdetがあらかじめ設定している閾値（MSthd）（例えば、0.2）より大きいかどうかを判定する。大きければ、「入力信号の変調内容は音楽である」と判定する。そうでなければ、「入力信号の変調内容は音声である」と判定する。
【００４７】
なお、本実施の形態では判断ステップ１１３１で受信電波が小さいかどうかを判断をしたが、この判断を行わずに、全ての周波数に対して音楽か音声かを判断しても良い。
【００４８】
次に、音楽音声判定装置７０の使用の仕方について説明する。例えば、ユーザが所望の周波数の放送を視聴しているときに、他の放送局の内容を知りたいときに次のように使用する。
【００４９】
図５のようにＦＭラジオ受信１には入力装置として、判定動作開始ボタン２、出力装置として表示部３が装備されており、ユーザが他の放送内容が知りたい場合は判定動作ボタン２を操作し、判定動作ボタン２が押されると、ＦＭラジオ受信機１は、図６に示したフローに従って、処理を実施する。判定動作開始ボタン２は、本発明の判定動作指示手段の一例である。
【００５０】
まず、ステップ１５００において図１に示した、ＦＭラジオ受信機１の第２のＦＥ部２１の受信周波数を他の周波数に切り換える。なお、第１のＦＥ部２０の受信周波数はユーザが現在視聴している周波数に設定されている。
【００５１】
次に、ステップ１５０１において、その切り替えられた周波数において、前記第１の直交検波器３１からのＩＱ信号を利用して、前記音楽音声判定装置７０の処理により、放送内容の判定を実施する。
【００５２】
次に、ステップ１５０２において、表示部３でその判定結果を表示し、更新する。
【００５３】
次に、ステップ１５０３において、このような判定処理の継続の可否を判断する。継続すると判断した場合は前記第２のＦＥ部２１の受信周波数をさらに切り換えて、処理を繰り返す。
【００５４】
以降、判定処理を継続する場合は順次第２のＦＥ部２１の受信周波数を切り換えて、各放送周波数を順次判定していく。
【００５５】
その継続するかどうかの判断は、判定動作ボタン３が１回押された場合は継続し、再度押された場合（ダブルクリック）、もしくは受信可能な全周波数を判定し終えた場合は、ステップ１５０３において、継続しないと判断し、処理を終了する。
【００５６】
表示部３の具体例について、図７を参照しながら説明する。表示部３はユーザに視聴している周波数以外の周波数の放送内容が音楽か音声であるかを提示する。図７は表示の一例である。
【００５７】
ボックス３００１には現在、ユーザが視聴している周波数を表示している。図の例の場合はユーザが視聴している周波数は81.1MHzとなる。
【００５８】
ボックス３００２には他の放送局の周波数の放送内容が表示される。ただし、前記音楽音声判定装置７０で「受信電波が小さすぎて放送内容を判定できない」と判断したものは表示しない。
【００５９】
周波数情報とともに、放送内容「音楽or音声」を表示する。図の例の場合は放送内容の判定できた周波数は82.2MHz、83.3MHz、85.5MHz、86.6MHz、88.8MHzであり、放送内容は順に、音声、音楽、音楽、音声、音楽となる。
【００６０】
このようにすることによって、新たに判定用のＦＭ復調部を追加することなしに、例えば、現在受信している放送を聴きながら、他の放送局の放送内容について判定することができる。
【００６１】
（実施の形態２）
実施の形態２は実施の形態１に対して、音楽音声判断装置７０の判定処理部１３０の判定結果計算部１３２と、表示部３が異なる。その他の構成は概略実施の形態１と同様である。
【００６２】
先ず、内容判定指標計算部１３１で計算される内容判断指標MSdetについてより詳しく検討する。ここで、入力信号の変調内容が音楽である場合と、音声である場合の波形はそれぞれ図８（a）,（b）に示すようになり、音楽信号のMSdetは、閾値より大きくなる時間が長く、音声信号のMSdetは、閾値より小さくなる時間が長い。
【００６３】
そこで、本実施の形態２では、実施の形態１のように内容判断指標MSdetの単なる大きさに着目するだけではなく、その継続時間も考慮に入れる。すなわち、判定結果計算部１３２は一定時間（例えば０．１秒、１秒、もしくは１０秒など）毎に、所定期間（例えば、０．０３秒間、０．３秒間、３秒間など）のうち、MSdetがあらかじめ設定している閾値（MSthd）より大きい時間を測定し、MSdetが閾値（MSthd）より大きい時間の割合を計算し、その割合があらかじめ設定された閾値（例えば、２５％）より大きければ、「判定結果  ＝  音楽」を出力し、閾値以下ならば、「判定結果  ＝  音声」を出力する。
【００６４】
次にフローチャート図９に従って説明する。
【００６５】
図９において、判断ステップ１１３１は、Lev0があらかじめ設定している閾値（Lev0thd）（例えば、10dBμV）より小さいかどうかを判定する。小さければ、「受信電波が小さすぎて放送内容を判定できない」として、音楽か音声であるかを判定しない。
【００６６】
次に判断ステップ１１３３で、上述したようにMSdetが閾値（MSthd）より大きい時間の割合を計算し、割合があらかじめ設定された閾値（例えば、２５％）より大きければ、「判定結果  ＝  音楽」を出力し、閾値以下ならば、「判定結果  ＝  音声」を出力する。
【００６７】
なお、判断ステップ１１３１で受信電波が小さいかどうかを判断をしたが、この判断を行わずに、全ての周波数に対して音楽か音声かを判断しても良い。
【００６８】
判定結果計算部１３２は「判定結果  ＝  音楽」、「判定結果  ＝  音声」、または「判定できない」を出力するとしたが、MSdetが閾値（MSthd）より大きい時間の割合をそのまま、もしくは加工して出力してもよい。なお、この音楽か音声かの判定結果処理は、本発明における、「判定処理部が行う最終判定処理」に対応し、当該割合そのまま、若しくは加工して出力する処理は、本発明における、「判定処理部が行う、判定を行うための事前の処理に止まる」に対応する。
【００６９】
図１０は、そのような割合を直接出力した場合の表示部３の形態である。
【００７０】
ボックス３００１には現在、ユーザが視聴している周波数を表示している。図の例の場合はユーザが視聴している周波数は81.1MHzとなる。
【００７１】
ボックス３００３には他の周波数の変調内容が表示される。周波数情報とともに、放送内容の判定結果を表示する。ただし、前記音楽音声判定装置７０で「受信電波が小さすぎて放送内容を判定できない」と判断したものは表示しない。
【００７２】
その放送内容の判定結果は、図示するように、割合で表示され、音楽らしさ（もしくは音声らしさ）が表示される。本例では、音楽音声判定装置７０から「MSdetが閾値（MSthd）より大きい時間の割合」（％）×２の値が出力される。ただし、上限値は１００とする。つまり、「MSdetが閾値（MSthd）より大きい時間の割合」＝２５％であれば、「５０」が出力され、「MSdetが閾値（MSthd）より大きい時間の割合」が５０％以上であれば「１００」が出力される。なお割合（％）を２倍しているのは、通常、音楽の場合は、割合が２５％〜５０％程度のことが多いので、下の方に偏らず、全体的にユーザに分かり易く、見えやすくしているためである。
【００７３】
図１０では、放送内容の判定できた周波数は82.2MHz、83.3MHz、85.5MHz、86.6MHz、88.8MHzであり、放送内容の音楽らしさは順に、斜線ハッチングで示す、８０、３０、４０、６０、１０となり、図では０〜１００を表示できるバーで表現されている。
【００７４】
本例の場合は、５０以上であれば、放送内容は音楽の可能性が高く、大きくなるほど音楽の可能性が高いことがわかる。また、逆に５０より小さければ、放送内容が音声である可能性が高く、小さくなるほど音声の可能性が高いことがわかる。
【００７５】
（実施の形態３）
実施の形態３は、実施の形態１において、音楽音声判定装置７０のフィルタが異なることが特徴である。音楽音声判定装置７０について説明する。
【００７６】
図１１は実施の形態３の音楽音声判定装置７０の機能ブロック図である。
【００７７】
第０の信号レベル算出部１２０はＩ信号（Isig）、およびＱ信号（Qsig）を入力信号とし、数１のようにして、振幅レベルLev0を算出し、出力する。
【００７８】
第２のＢＰＦ１１２は通過帯域が0kHz〜15kHzのローパスフィルタであり、Ｉ信号（Isig）、およびＱ信号（Qsig）を入力信号とし、Ｉ信号、Ｑ信号にローパスフィルタ処理を行ったＩbpf2信号（Ibpf2sig）、Ｑbpf2信号（Qbpf2sig）を出力する。ここで、第２のＢＰＦの通過帯域を0kHz〜15kHzに限定するものではない。これらＩbpf2信号（Ibpf2sig）、Ｑbpf2信号（Qbpf2sig）は、本発明のフィルタ信号の一例である。その通過帯域は主に音声信号が通過する帯域であり、音楽信号は少ない帯域を選択する。
【００７９】
第２の信号レベル算出部１２２は前記第２のＢＰＦ１１２から出力されたＩbpf2信号（Ibpf2sig）、Ｑbpf2信号（Qbpf1sig）を入力とし、数４のようにして、振幅レベルLev2を算出し、出力するデバイスである。
【００８０】
【数４】
2010147685.tif 000006
【００８１】
判定処理部１４０は振幅レベルLev0、振幅レベルLev2を入力として、判定結果を出力するデバイスである。
【００８２】
判定処理部１４０の具体的な動作について、図１２および図１３を参照しながら、説明する。判定処理部１４０は前記Lev0、Lev2を入力とし、図１２に示す処理に従って、判定結果を出力する。
【００８３】
図１２における内容判定指標計算部１４１は、数５のようにして、内容判定指標MSdet1を算出する。
【００８４】
【数５】
2010147685.tif 000007
【００８５】
次に図１２における判定結果計算部１４２で、フローチャート図１３に従って、判定結果を計算する。
【００８６】
図１３において、判断ステップ１１４１で、Lev0があらかじめ設定している閾値（Lev0thd）（例えば、10dBμV）より小さいかどうかを判定する。小さければ、「受信電波が小さすぎて放送内容を判定できない」として、音楽か音声であるかを判定しない。
【００８７】
次に判断ステップ１１４２で、MSdet1があらかじめ設定している閾値（MSthd1）（例えば、0.2）より大きいかどうかを判定する。大きければ、入力信号の変調内容は音楽であると判定する。数５によれば、ローパスフィルタを通過した信号の少ないほどMSdet1が大きくなるので、音楽信号と判定できる。逆にローパスフィルタを通過した信号の多いほどMSdet1が小さくなるので、音声信号であると判定する。
【００８８】
なお、判断ステップ１１４１で受信電波が小さいかどうかを判断をしたが、この判断を行わずに、全ての周波数に対して音楽か音声かを判断しても良い。
【００８９】
（実施の形態４）
実施の形態４は、実施の形態１、実施の形態３において、音楽音声判定装置７０が異なることを特徴とする。音楽音声判定装置７０について説明する。
【００９０】
図１４は実施の形態４の音楽音声判定装置７０の機能ブロック図である。
【００９１】
第０の信号レベル算出部１２０はＩ信号（Isig）、およびＱ信号（Qsig）を入力信号とし、数１のようにして、振幅レベルLev0を算出し、出力するデバイスである。
【００９２】
第１のＢＰＦ１１１は通過帯域が23kHz〜53kHzのバンドパスフィルタであり、Ｉ信号（Isig）、およびＱ信号（Qsig）を入力信号とし、Ｉ信号、Ｑ信号にバンドパスフィルタ処理を行ったＩbpf1信号（Ibpf1sig）、Ｑbpf1信号（Qbpf1sig）を出力するデバイスである。ここで、第１のＢＰＦの通過帯域を23kHz〜53kHzに限定するものではない。
【００９３】
第１の信号レベル算出部１２１は前記第１のＢＰＦ１１１から出力されたＩbpf1信号（Ibpf1sig）、Ｑbpf1信号（Qbpf1sig）を入力とし、数２のようにして、振幅レベルLev1を算出し、出力するデバイスである。
【００９４】
第２のＢＰＦ１１２は通過帯域が0kHz〜15kHzのローパスフィルタであり、Ｉ信号（Isig）、およびＱ信号（Qsig）を入力信号とし、Ｉ信号、Ｑ信号にローパスフィルタ処理を行ったＩbpf2信号（Ibpf2sig）、Ｑbpf2信号（Qbpf2sig）を出力するデバイスである。ここで、第２のＢＰＦの通過帯域を0kHz〜15kHzに限定するものではない。
【００９５】
第２の信号レベル算出部１２２は前記第２のＢＰＦ１１２から出力されたＩbpf2信号（Ibpf2sig）、Ｑbpf2信号（Qbpf1sig）を入力とし、数４のようにして、振幅レベルLev2を算出し、出力するデバイスである。
【００９６】
判定処理部１５０はこれらの振幅レベルLev0、振幅レベルLev1、および振幅レベルLev2を入力として、判定結果を出力するデバイスである。
【００９７】
判定処理部１５０の具体的な動作について、図１５および図１６を参照しながら、説明する。判定処理部１５０は前記Lev0、Lev1、Lev2を入力とし、図１５に示す処理に従って、判定結果を出力する。
【００９８】
図１５における内容判定指標計算部１５１は、数６のようにして、内容判定指標MSdet2算出する。
【００９９】
【数６】
2010147685.tif 000008
【０１００】
次に図１５における判定結果計算部１５２で、フローチャート図１６に従って、判定結果を計算する。
【０１０１】
図１６において、判断ステップ１１５１で、Lev0があらかじめ設定している閾値（Lev0thd）（例えば、10dBμV）より小さいかどうかを判定する。小さければ、「受信電波が小さすぎて放送内容を判定できない」として、音楽か音声であるかを判定しない。
【０１０２】
次に判断ステップ１１５２で、Msdet2があらかじめ設定している閾値（MSthd2）（例えば、0.2）より大きいかどうかを判定する。大きければ、入力信号の変調内容は音楽であると判定する。そうでなければ、入力信号の変調内容は音声であると判定する。分子のLev1は主に音楽信号の多さを、分母のLev2は主に音声信号の多さを示すので、Msdet2が大きい場合は音楽信号と判定出来る。
【０１０３】
なお、判断ステップ１１５１で受信電波が小さいかどうかを判断をしたが、この判断を行わずに、全ての周波数に対して音楽か音声かを判断しても良い。
【０１０４】
なおまた、実施の形態３，実施の形態４において、判定結果を音楽か音声かで出力するのではなく、実施の形態２のようにして、音楽の割合などで出力しても良い。
【０１０５】
実施の形態１〜４において、第０の信号レベル算出部１２０、第１の信号レベル算出部１２１、第２信号の信号レベル算出部１２２において、数１、数２、数４のように信号レベルを算出するとしたが、音楽音声判定精度を向上するためなどに、信号レベルLev0、Lev1、Lev2などの、時間的平均値、ピークホールド値を信号レベルとして採用しても良い。
【０１０６】
（実施の形態５）
実施の形態１〜４において、直交検波部３１の出力であるＩＱ信号に対して、音楽音声判定を行ったが、実施の形態５は、図１７のように第２のＦＥ部２１の出力であるＩＦ信号に対して、音楽音声判定を行うことを特徴とする。
【０１０７】
この場合、音楽音声判定装置７０の中では、例えば、実施の形態４の図１４の構成の場合については、ＢＰＦ１１１、ＢＰＦ１１２の帯域が異なり、ＩＦ信号の中間周波数が10.7MHzの場合は、ＢＰＦ１１１の帯域は10.723MHz〜10.753MHzなどであり、ＢＰＦ１１２の帯域は10.7MHz〜10.715MHz（もしくは、10.685MHz〜10.715MHz）などにする。ここで、中間周波数を10.7MHzに限定するものではないし、ＢＰＦの通過帯域を限定するものでもない。
【０１０８】
また、信号レベル算出部１２０、１２１、１２２は包絡線検波などを使用することが望ましい。
【０１０９】
また、図１４の構成に限らず、ＩＦ信号について音楽音声判定を行う点は、他の実施の形態にも適用できることはいうまでもない。
【０１１０】
このようにすることで、第２の直交検波器も不必要になるメリットがある。
【０１１１】
なお、上述した実施の形態１〜４において、音楽音声判定装置が、隣接妨害対策用などの他の機能のために付加されている帯域フィルタの出力を用いて、変調内容を判定することも可能である。これによって帯域フィルタを特に設ける必要は無くなる。
【０１１２】
なおまた、上述した実施の形態１〜５における各ＢＰＦは、本発明の周波数フィルタの例に対応する。
【０１１３】
（実施の形態６）
実施の形態１〜４において、直交検波部３１の出力であるＩＱ信号に対して、音楽音声判定を行ったが、本実施の形態６は、アンテナ部で受信した信号を分岐して、音楽音声判定装置の入力信号とし、その信号に対して、音楽音声判定を行うことを特徴とする。例えば、図１８に示すように、アンテナ部１０で受信した信号を分岐し、その分岐信号を直接音楽音声判定装置７０へ入力させることで実現できる。
【０１１４】
この場合、音楽音声判定装置７０の中では、例えば、実施の形態４の図１４の構成の場合については、ＢＰＦ１１１、ＢＰＦ１１２の帯域が異なり、アンテナ部１０で受信した信号から分岐した信号を入力信号とする際は、８０ＭＨｚの信号に対して、処理を行う場合は、ＢＰＦ１１１の帯域は80.023MHz〜80.53MHzなどであり、ＢＰＦ１１２の帯域は80.0MHz〜80.015MHz（もしくは、79.985MHz〜80.015MHz）などにする。ここで、処理を行いたい周波数、つまり、放送内容を判定したい放送波の周波数が異なる場合は、ＢＰＦ１１１，ＢＰＦ１１２の通過帯域を変更する。
【０１１５】
また、信号レベル算出部１２０、１２１、１２２は包絡線検波などを使用することが望ましい。
【０１１６】
また、アンテナ部１０で受信した信号を分岐して、音楽音声判定装置７０の入力信号とし、その信号に対して、音楽音声判定を行う点は、他の実施の形態にも適用できることはいうまでもない。
【０１１７】
このようにすることで、第２のＦＥ部、第２の直交検波器も不必要になるメリットがある。
【０１１８】
なお、上述した実施の形態１〜６における各ＢＰＦは、本発明の周波数フィルタの例に対応する。
【０１１９】
また、上述した実施の形態１〜５において、音楽音声判定装置が、隣接妨害対策用などの他の機能のために付加されている帯域フィルタの出力を用いて、変調内容を判定することも可能である。これによって帯域フィルタを特に設ける必要は無くなる。
【０１２０】
また、上述した各実施の形態においては、直交検波部や、ＦＥ部など各部は、アナログ処理の他に、ＤＳＰ、ＦＰＧＡなどを用いたデジタル処理でそれらの機能を実現しても良い。
【０１２１】
また、本発明のプログラムは、上述した本発明の音楽音声判定方法の全部又は一部のステップの動作をコンピュータにより実行させるプログラムであって、コンピュータと協働して動作するプログラムである。
【０１２２】
また、本発明の上記一部のステップとは、それらの複数のステップの内の、一つ又は幾つかのステップを意味する。
【０１２３】
また、本発明のプログラムの一利用形態は、コンピュータにより読み取り可能な、ＲＯＭ等の記録媒体に記録され、コンピュータと協働して動作する態様であっても良い。
【０１２４】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【０１２５】
また、上述した本発明のコンピュータは、ＣＰＵ等の純然たるハードウェアに限らず、ファームウェアや、ＯＳ、更に周辺機器を含むものであっても良い。
【０１２６】
なお、以上説明した様に、本発明の構成は、ソフトウェア的に実現しても良いし、ハードウェア的に実現しても良い。
【産業上の利用可能性】
【０１２７】
本発明の音楽音声判定装置によれば、ＦＭ復調部のＦＭ復調信号の出力を利用することなく放送内容を判定でき、また、本発明のＦＭラジオ受信機によれば、ＦＭ復調部を新たに追加すること無く放送内容を判定出来、すなわち、コスト増加なし、もしくはコスト増加を抑えて、音楽音声判定機能をＦＭラジオ受信機に付加することができ、複数の放送局からＦＭラジオ電波を受信して目的の放送を聴きながら他局の状況も分かりやすいＦＭラジオ受信機の分野に有用である。
【図面の簡単な説明】
【０１２８】
【図１】本発明の実施の形態１におけるラジオ受信機のブロック図
【図２】本発明の実施の形態１における音楽音声判定装置のブロック図
【図３】本発明の実施の形態１における判定処理部の構成を示す図
【図４】本発明の実施の形態１における判定処理部の動作を示すフローチャート
【図５】本発明の実施の形態１の使用例を示すブロック図
【図６】図５の使用例のフローチャート図
【図７】図５の使用例における表示部の一例を示す図
【図８】本発明の実施の形態２におけるの内容判定指標MSdetの一例を示す図
【図９】本発明の実施の形態２における判定処理部の動作を示すフローチャート
【図１０】本発明の実施の形態２における表示部の一例を示す図
【図１１】本発明の実施の形態３における音楽音声判定装置のブロック図
【図１２】本発明の実施の形態３における判定処理部の構成を示す図
【図１３】本発明の実施の形態３における判定処理部の動作を示すフローチャート
【図１４】本発明の実施の形態４における音楽音声判定装置のブロック図
【図１５】本発明の実施の形態４における判定処理部の構成を示す図
【図１６】本発明の実施の形態４における判定処理部の動作を示すフローチャート
【図１７】本発明の実施の形態５におけるラジオ受信機のブロック図
【図１８】本発明の実施の形態６におけるラジオ受信機のブロック図
【図１９】従来のラジオ受信機のブロック図
【符号の説明】
【０１２９】
１    ＦＭラジオ受信機
２    判定動作ボタン
３    表示部
１０  アンテナ
２０  第１のＦＥ部（フロントエンド部）
２１  第２のＦＥ部（フロントエンド部）
３０  第１の直交検波部
３１  第２の直交検波部
４０  ＦＭ復調部
５０  ステレオ復調部
６０  スピーカ部
７０  音楽音声判定装置
９０  従来の音楽音声判定装置
１００  入力部
１１１  第１のＢＰＦ
１１２  第２のＢＰＦ
１２０  第０の信号レベル算出部
１２１  第１の信号レベル算出部
１２２  第２の信号レベル算出部
１３０  判定処理部
１３１  内容判定指標計算部
１３２  判定結果計算部
１４０  判定処理部
１４１  内容判定指標計算部
１４２  判定結果計算部
１５０  判定処理部
１５１  内容判定指標計算部
１５２  判定結果計算部
１１３１  判定処理部の判断ステップ
１１３２  判定処理部の判断ステップ
１１３３  判定処理部の判断ステップ
１１４１  判定処理部の判断ステップ
１１４２  判定処理部の判断ステップ
１１５１  判定処理部の判断ステップ
１１５２  判定処理部の判断ステップ
３００１  表示部の一部
３００２  表示部の一部
３００３  表示部の一部
【図１】
2010147685.tif 000009
【図２】
2010147685.tif 000010
【図３】
2010147685.tif 000011
【図４】
2010147685.tif 000012
【図５】
2010147685.tif 000013
【図６】
2010147685.tif 000014
【図７】
2010147685.tif 000015
【図８】
2010147685.tif 000016
【図９】
2010147685.tif 000017
【図１０】
2010147685.tif 000018
【図１１】
2010147685.tif 000019
【図１２】
2010147685.tif 000020
【図１３】
2010147685.tif 000021
【図１４】
2010147685.tif 000022
【図１５】
2010147685.tif 000023
【図１６】
2010147685.tif 000024
【図１７】
2010147685.tif 000025
【図１８】
2010147685.tif 000026
【図１９】
2010147685.tif 000027